(57)【要約】【課題】オブジェクト選択のキャンセルに係る不要な画面スクロールを防止する。【解決手段】電子機器１は、表面にタッチセンサ１２を有し、前記表面のタッチセンサへ１２の操作により、オブジェクトが選択されたままフリック操作が行われた場合、画面のスクロールを伴うフリック操作であれば、当該フリック操作をキャンセルする制御部１４を備える。【選択図】図１
2015106171.tif 000002
【特許請求の範囲】
【請求項１】
表面にタッチセンサを有する電子機器であって、
前記表面のタッチセンサへの操作により、オブジェクトが選択されたままフリック操作が行われた場合、画面のスクロールを伴うフリック操作であれば、当該フリック操作をキャンセルする制御部を備えることを特徴とする電子機器。
【請求項２】
表面および背面にタッチセンサを有する電子機器であって、
前記背面のタッチセンサへの操作により画面をスクロールした後、所定時間内に前記表面のタッチセンサへの操作によりフリック操作が行われた場合、当該フリック操作をキャンセルする制御部を備えることを特徴とする電子機器。
【発明の詳細な説明】
【技術分野】
【０００１】
本発明は、タッチセンサを有する電子機器に関する。
【背景技術】
【０００２】
近年、ユーザによる接触を検知するタッチセンサを備えた携帯電話等の電子機器が増加している。接触の検出方式は、抵抗膜方式、静電容量方式等、種々の検出方式が知られており、いずれの方式もユーザの指やスタイラスペン等による接触物の接触を検出する。
【０００３】
また、表面に加え、背面にもタッチセンサを有する電子機器が知られている。例えば、特許文献１には、表面および背面にそれぞれ２つのタッチセンサを備え、使用状態に対応付けられた所定の対応関係に基づいて、第１背面または第２背面に対する入力を、第１表面または第２表面に対する入力として受け付けることにより、利便性を高めることが可能な携帯端末が記載されている。
【先行技術文献】
【特許文献】
【０００４】
【特許文献１】特開２０１２−２３０５６７号公報
【発明の概要】
【発明が解決しようとする課題】
【０００５】
タッチセンサを備えるスマートフォンなどの電子機器では、一般に、表示されているオブジェクト（アプリケーションアイコン、ブラウザ等のリンク先）に対して指で触れることで選択、指を離すことで決定がなされる。通常、これらのオブジェクトの選択、決定は一連のタップ動作（画面をポンと軽く押す動作）として行われる。ここで、ユーザは、オブジェクトの選択ミスに気付いた場合、指を離す前に、誤って選択したオブジェクトの範囲外に指をスライドさせることでオブジェクトの選択をキャンセルすることができる。
【０００６】
ここで、オブジェクト選択をキャンセルするための指のスライドが、誤って画面スクロールを伴うフリック操作（画面上で指を払う（スライドさせる）動作）として検出されることがある。図１１は、誤って検出されたフリック操作により生じる不要な画面スクロールを示す図である。図１１（ａ）では、ユーザがアイコンＧの代わりにアイコンＨを誤って選択し、選択キャンセルのために指を左方向にスライドさせる動作を行う。このとき、電子機器が指のスライドをフリック操作として検出すると、図１１（ｂ）に示す通り画面のスクロールが行われてしまう。このため、ユーザが目的のオブジェクトであるアイコンＧを選択するためには、元の画面に戻すための操作が必要になってしまうという問題があった。
【０００７】
かかる事情に鑑みてなされた本発明の目的は、オブジェクト選択のキャンセルに係る不要な画面スクロールを防止することが可能な電子機器を提供することにある。
【課題を解決するための手段】
【０００８】
上述した諸課題を解決すべく、本発明に係る電子機器は、
表面にタッチセンサを有する電子機器であって、
前記表面のタッチセンサへの操作により、オブジェクトが選択されたままフリック操作が行われた場合、画面のスクロールを伴うフリック操作であれば、当該フリック操作をキャンセルする制御部を備えることを特徴とする。
【０００９】
さらに、上述した諸課題を解決すべく、本発明に係る電子機器は、
表面および背面にタッチセンサを有する電子機器であって、
前記背面のタッチセンサへの操作により画面をスクロールした後、所定時間内に前記表面のタッチセンサへの操作によりフリック操作が行われた場合、当該フリック操作をキャンセルする制御部を備えることを特徴とする。
【発明の効果】
【００１０】
本発明によれば、オブジェクト選択のキャンセルに係る不要な画面スクロールを防止することが可能となる。
【図面の簡単な説明】
【００１１】
【図１】本発明の第１の実施形態に係る電子機器の概略構成を示すブロック図である。
【図２】本発明の第１の実施形態に係る電子機器の実装構造の一例を示す図である。
【図３】ユーザが電子機器を左手で保持した状態を示す図である。
【図４】本発明の第１のキャンセル動作に係る電子機器の処理を示すフローチャートである。
【図５】本発明の第１のキャンセル動作に係る電子機器の処理を説明する図である。
【図６】本発明の第２のキャンセル動作に係る電子機器の処理を示すフローチャートである。
【図７】本発明の第２のキャンセル動作に係る電子機器の処理を説明する図である。
【図８】本発明の第２の実施形態に係る電子機器のブロック図である。
【図９】本発明の第２の実施形態に係る電子機器の実装構造の一例である。
【図１０】本発明の第３の実施形態に係る電子機器の概略構成を示すブロック図である。
【図１１】オブジェクト選択のキャンセルに係る不要な画面スクロールを説明する図である。
【発明を実施するための形態】
【００１２】
以降、諸図面を参照しながら、本発明の実施態様を詳細に説明する。
【００１３】
［第１の実施形態］
図１は、第１の実施形態に係る電子機器の概略構成を示すブロック図である。図１に示す例では、電子機器１は、表示部１１と、表面タッチセンサ１２と、背面タッチセンサ１３と、制御部１４と、記憶部１５と、通信部１６と、マイク１７と、スピーカ１８とを備える。
【００１４】
表示部１１は、文字、写真、操作用オブジェクト等の画像を表示する。表示部１１は、液晶パネル（ＬＣＤ：Liquid Crystal Display）や有機ＥＬパネル（ＯＥＬＤ：Organic Electroluminescence Display）等を用いて構成される。例えばホーム画面では、表示部１１は、電話、メール、インターネット通信、カメラ撮影等の各操作を行うための操作用オブジェクト（オブジェクト）を表示させる。
【００１５】
表面タッチセンサ１２は、表面タッチセンサ１２の入力面において、指の接触または接触の解除を検出する。そして、表面タッチセンサ１２は、入力面に対する接触位置を検出し、検出した接触位置を示す信号を制御部１４へ出力する。表面タッチセンサ１２は透明な部材で構成され、表示部１１の前面に重畳配置される。ユーザは透明な表面タッチセンサ１２を介して表示部１１の画像を視認し、表示部１１が表示する操作用オブジェクトの表示位置の表面タッチセンサ１２を操作することにより、電子機器１に所定の処理を実行させる。ここで、タッチセンサの操作とは、タッチ、タップ、ダブルタップ、フリック等の、指をタッチセンサに接触させるあらゆる操作をいう。
【００１６】
背面タッチセンサ１３は、電子機器１を操作する際の操作性を向上させるために電子機器１の背面に配置され、背面タッチセンサ１３の入力面において、指による接触または接触の解除を検出し、検出結果を制御部１４へ出力する。表面タッチセンサ１２および背面タッチセンサ１３は、例えば、抵抗膜方式、静電容量方式等の周知の方式で実現される。
【００１７】
制御部１４は、表面タッチセンサ１２から入力される信号により表面タッチセンサ１２の操作を検出すると、接触位置に表示されている操作用オブジェクトに応じた制御を行う。また、制御部１４は、表面タッチセンサ１２によりフリック操作を検出すると、画面のスクロールを行うことができる。
【００１８】
制御部１４は、背面タッチセンサ１３から入力される信号により背面タッチセンサ１３の操作を検出すると、入力操作に応じた制御を行う。制御部１４は、背面タッチセンサ１３によりフリック操作を検出すると、画面のスクロールを行うことができる。
【００１９】
記憶部１５は、半導体メモリ等で構成することができ、各種情報や電子機器１を動作させるためのプログラム等を記憶するとともに、ワークメモリとしても機能する。
【００２０】
通信部１６は、基地局または他の通信機器と無線により通信することを可能にする。
【００２１】
マイク１７は、ユーザの発話等の周囲の音を集音する。マイク１７が集音した音は、電気信号に変換して制御部１４に送られる。
【００２２】
スピーカ１８は、音声、音楽、着信音等の音を出力する。
【００２３】
図２は、第１の実施形態に係る電子機器１の実装構造の一例を示す図である。図２（ａ）は正面図であり、図２（ｂ）は図２（ａ）におけるＡ−Ａ線に沿った断面図であり、図２（ｃ）は背面図である。
【００２４】
なお、図２においては、筐体１０、表示部１１、表面タッチセンサ１２、背面タッチセンサ１３、および接合部材４０以外の要素の図示は省略している。電子機器１は、図２に示した以外にも、例えば、制御部１４、基板、及び各種部品等の要素を備えることができる。また、典型的にはマイク１７は表面タッチセンサ１２の下部に配置され、スピーカ１８は表面タッチセンサ１２の上部に配置される。
【００２５】
図２に示すように、表面タッチセンサ１２は筐体１０（例えば、金属や樹脂のケース）の表面１０ａに配置され、筐体１０に支持される。
【００２６】
表示部１１は、筐体１０の内部に配置される。例えば、表示部１１を表面タッチセンサ１２の裏面に接着してもよいし、筐体１０の内部に直接固定するか、筐体１０の内部配置される基板または表示部用ホルダ等に固定してもよい。図２では、表示部１１は、接合部材４０を介して表面タッチセンサ１２に接着されている。図２（ｂ）に示すように、表示部１１を、表面タッチセンサ１２の裏面側に配置すれば、表面タッチセンサ１２および表示部１１によりタッチパネルを構成する際に、表示部１１に自由なユーザインタフェースを表示して、ユーザの操作を表面タッチセンサ１２により検出することができる。なお、接合部材４０は、熱硬化性あるいは紫外線硬化性等を有する接着剤や両面テープ等であり、例えば無色透明のアクリル系紫外線硬化型接着剤である光学弾性樹脂でもよい。
【００２７】
背面タッチセンサ１３は、電子機器１を片手で保持した際に、人差し指で接触可能な範囲を含むように、筐体１０の背面１０ｂに配置され、筐体１０に支持される。例えば、図２（ｂ）（ｃ）に示すように、背面タッチセンサ１３は筐体１０の背面１０ｂの上部に配置される。
【００２８】
図３は、ユーザが電子機器１を左手で保持した状態を示す図である。図３（ａ）は表面側から見た図であり、図３（ｂ）は背面側から見た図である。図３（ｂ）に示すように電子機器１を左手で保持すると、人差し指は背面タッチセンサ１３上に位置する。よって、ユーザは人差し指を折り曲げるだけで他の指は動かすことなく容易に背面タッチセンサ１３を操作（タッチ、タップ、ダブルタップ、フリック等）することができる。なお、本実施形態では、背面タッチセンサ１３を人差し指が接触可能な位置に限定して配置しているが、より広範囲にわたって配置させてもよい。
【００２９】
これ以降、本発明に係る電子機器１による処理を説明する。電子機器１は、ユーザが誤って選択した操作用オブジェクトをキャンセルする際の不要な画面スクロールを防止するものである。このため、電子機器１は、所定の条件下でフリック操作を検出した場合、係るフリック操作をキャンセルする処理を実行する。
【００３０】
（第１のキャンセル動作）
第１のキャンセル動作は、操作用オブジェクト選択中に画面のスクロールを伴うフリック操作が行われた場合、かかるフリック操作は操作用オブジェクトの選択をキャンセルするためのものであるとして、フリック操作をキャンセルするものである。図４は、第１のキャンセル動作に係る電子機器１の処理を示すフローチャートである。制御部１４は、表面タッチセンサ１２から入力される信号により表面タッチセンサ１２へのフリック操作を検出すると（ステップＳ１０１）、操作用オブジェクトが選択中であるか否かを判定する（ステップＳ１０２）。制御部１４は、操作用オブジェクト選択中（ステップＳ１０２のＹｅｓ）である場合、当該フリック操作が画面のスクロールを伴うフリック操作か否かを検出する（ステップＳ１０３）。制御部１４は、操作用オブジェクト選択中に画面のスクロールを伴うフリック操作を検出した場合（ステップＳ１０３のＹｅｓ）、当該フリック操作をキャンセルし、画面のスクロールは行わない（ステップＳ１０４）。なお、制御部１４は、フリック操作検出時に操作用オブジェクトが選択されていないか（ステップＳ１０２のＮｏ）、フリック操作が画面のスクロールを伴うものではない場合（ステップＳ１０３のＮｏ）、フリック操作に応じた制御を実行する（ステップＳ１０５）。
【００３１】
図５は、第１のキャンセル動作に係る電子機器の処理を説明する図である。図５では、ユーザがアイコンＧの代わりにアイコンＨを誤って選択し、選択キャンセルのために指を左方向にスライドさせる動作を行う。このとき、制御部１４は、指のスライドを画面スクロールを伴うフリック操作として検出しても、操作用オブジェクトであるアイコンＨが選択中であるため、当該フリック操作をキャンセルし、画面のスクロールは行わない。
【００３２】
このように、制御部１４は、表面タッチセンサ１２への操作により、操作用オブジェクトが選択されたままフリック操作が行われた場合、画面のスクロールを伴うフリック操作であれば、当該フリック操作をキャンセルする。これにより、オブジェクト選択のキャンセルに係る不要な画面スクロールを防止することが可能となる。すなわち、ユーザはオブジェクト選択のキャンセル後、そのままの画面から正しい操作用オブジェクトを選択することができ、電子機器の操作性を向上させることが可能となる。
【００３３】
（第２のキャンセル動作）
第２のキャンセル動作は、背面タッチセンサ１３により画面スクロールを行ってから所定時間内に行われた表面タッチセンサ１２へのフリック操作をキャンセルするものである。図６は、第２のキャンセル動作に係る電子機器１の処理を示すフローチャートである。制御部１４は、表面タッチセンサ１２から入力される信号により表面タッチセンサ１２へのフリック操作を検出すると（ステップＳ２０１）、背面タッチセンサ１３による画面スクロールが所定時間以内に行われたか否かを判定する（ステップＳ２０２）。制御部１４は、所定時間内に背面タッチセンサ１３による画面スクロールが行われている場合（ステップＳ２０２のＹｅｓ）、フリック操作をキャンセルする（ステップＳ２０３）。なお、制御部１４は、所定時間内に背面タッチセンサ１３による画面スクロールが行われていない場合（ステップＳ２０２のＮｏ）、フリック操作に応じた制御を行う（ステップＳ２０４）。
【００３４】
図７は、第２のキャンセル動作に係る電子機器の処理を説明する図である。図７（ａ）は、背面タッチセンサ１３へのフリック操作による画面スクロールを示す図である。この場合、図７（ｂ）に示す通り、制御部１４は、背面タッチセンサ１３による画面スクロールから所定時間以内に表面タッチセンサ１２へのフリック操作を検出しても、当該フリック操作をキャンセルし、画面のスクロールは行わない。
【００３５】
このように、制御部１４は、背面タッチセンサ１３への操作により画面をスクロールした後、所定時間内に表面タッチセンサ１２への操作によりフリック操作が行われた場合、当該フリック操作をキャンセルする。これにより、オブジェクト選択のキャンセルに係る不要な画面スクロールを防止することが可能となる。すなわち、ユーザはオブジェクト選択のキャンセル後、そのままの画面から正しい操作用オブジェクトを選択することができ、電子機器の操作性を向上させることが可能となる。
【００３６】
［第２の実施形態］
次に、本発明の第２の実施形態について説明する。図８は、本発明の第２の実施形態に係る電子機器の概略構成を示すブロック図である。第２の実施形態に係る電子機器２は、第１の実施形態に係る電子機器１と比較して、更に押圧検出部２０を備える。その他の構成については第１の実施形態と同一であるため、同一の参照番号を付して説明を省略する。
【００３７】
押圧検出部２０は、背面タッチセンサ１３に対してユーザが操作を行う際の押圧を検出し、押圧に基づくデータを制御部１４に出力する。押圧検出部２０は、例えば、押圧に応じて物理的または電気的な特性（歪み、抵抗、電圧等）が変化する歪みゲージセンサや圧電素子等を用いて構成される。押圧検出部２０が、例えば圧電素子を用いて構成された場合、押圧検出部２０の圧電素子は、背面タッチセンサ１３に対する押圧による荷重（力）の大きさ（または、荷重の大きさが変化する速さ（加速度））に応じて、電気的な特性である電圧値（押圧に基づくデータ）が変化する。なお、押圧に基づくデータは、電圧値の代わりに、押圧による荷重の大きさ、電力値、抵抗値等でもよい。
【００３８】
また、押圧検出部２０は、表面タッチセンサ１２に対してユーザが操作を行う際の押圧を同様にして検出してもよい。
【００３９】
制御部１４は、押圧検出部２０から背面タッチセンサ１３（および表面タッチセンサ１２）に対する押圧に基づくデータを取得する。そして、制御部１４は、押圧に基づくデータが所定の閾値以上である場合に、所定の操作が行われたと判断し、操作内容に応じて例えばアプリケーションに基づく等して、所定の処理を行うように制御する。
【００４０】
また、押圧検出部２０は、接触検出方式に応じて構成することができる。例えば、接触検出方式が抵抗膜方式の場合には、接触面積の大きさに応じた抵抗の大きさを、タッチセンサのタッチ面に対する押圧の荷重に対応付けることにより、歪みゲージセンサや圧電素子等を用いることなく押圧検出部２０を構成することができる。あるいは、タッチセンサが静電容量方式の場合には、静電容量の大きさを、タッチセンサに対する押圧の荷重に対応付けることにより、歪みゲージセンサや圧電素子等を用いることなく構成することができる。
【００４１】
図９は、第２の実施形態に係る電子機器２の実装構造の一例を示す図である。図９（ａ）は正面図であり、図９（ｂ）は図９（ａ）におけるＡ−Ａ線に沿った断面図であり、図９（ｃ）は背面図である。図９は、図２に示した電子機器１の実装構造に対して、更に押圧検出部２０を構成する圧電素子２１〜２４を図示している。なお、圧電素子の個数や配置位置は、図示した例に限定されるものではない。
【００４２】
図９に示す例では、押圧検出部２０は、第１圧電素子２１、第２圧電素子２２、第３圧電素子２３、および第４圧電素子２４を有し、第１圧電素子２１および第２圧電素子２２により、背面タッチセンサ１３に対してユーザが操作を行う際の押圧を検出し、第３圧電素子２３および第４圧電素子２４により、表面タッチセンサ１２に対してユーザが操作を行う際の押圧を検出する。
【００４３】
なお、図９（ａ）において、表面タッチセンサ１２上において表示部１１による表示を透過させる必要がない領域、すなわち、表面タッチセンサ１２と表示部１１とが重ならない領域は、表面タッチセンサ１２の端辺付近の領域を塗装したりベゼルで覆ったりするのが好適である。このようにすれば、第３圧電素子２３および第４圧電素子２４等が電子機器１の外部から見えてしまうことを防ぐことができる。
【００４４】
第２実施形態に係る電子機器２のキャンセル動作は、第１実施形態と同様に図４、図６に示すフローチャートに沿って行われる。なお、制御部１４は、ステップＳ１０１及びステップＳ２０１のフリック操作の検出に関し、押圧検出部２０から取得した表面タッチセンサ１２に対する押圧に基づくデータを用いることができる。即ち、制御部１４は、押圧検出部２０から取得したデータが所定の閾値を満たす場合に、表面タッチセンサ１２への操作をフリック操作として検出することができる。
【００４５】
このように、第２の実施形態に係る電子機器２は、押圧検出部２０を更に備える。そのため、電子機器２は、他の物体と軽く接触しただけでユーザによる操作が行われたと判断することを防止できる。特に、電子機器を保持する際には表面及び背面のタッチセンサに指が接触するが、押圧検出部２０により押圧を検出することにより、ユーザが操作を意図していないのにもかかわらず操作したものと誤判断することを防止できる。
【００４６】
［第３の実施形態］
次に、本発明の第３の実施形態について説明する。図１０は、本発明の第３の実施形態に係る電子機器の概略構成を示すブロック図である。第３の実施形態に係る電子機器３は、第２の実施形態に係る電子機器２と比較して、更に触感呈示部３０を備える。その他の構成については第２の実施形態と同一であるため、同一の参照番号を付して説明を省略する。
【００４７】
触感呈示部３０は、制御部１４から供給される駆動信号に基づいて所定の振動を発生する。駆動信号については、表現したいリアルなボタンが挙動する振動を、指が接触する位置において表現する駆動信号であればよい。
【００４８】
触感呈示部３０は、圧電素子、超音波振動子、または振動モータ（偏心モータ）等を用いて構成され、所定の振動パターンによる振動を発生させることにより、背面タッチセンサ１３を押圧しているユーザの指に対して触感を呈示し、ユーザに背面タッチセンサ１３を操作したことを感覚的に通知する。触感呈示部３０は、機械的な振動を使わずに、背面タッチセンサ１３上に貼ったフィルムの電荷を制御する等により、背面タッチセンサ１３を押圧しているユーザの指に対して触感を呈示してもよい。
【００４９】
また、触感呈示部３０は、表面タッチセンサ１２に対しても、同様にして振動を発生させて、表面タッチセンサ１２を押圧しているユーザの指に対して触感を呈示するようにしてもよい。
【００５０】
なお、触感呈示部３０は、押圧検出部２０と一体化して構成することもできる。特に、押圧検出部２０および触感呈示部３０を圧電素子を用いて構成する場合は、圧電素子を共用することもできる。圧電素子は、圧力が加わると電圧を発生し、電圧が加えられると変形するためである。この場合の実装構造例は、図９に示した通りである。
【００５１】
押圧検出部２０および触感呈示部３０を圧電素子を用いて構成する場合、制御部１４は、圧電素子の電圧値が所定の閾値を満たした際に、所定の処理を行うとともに、該圧電素子を駆動することにより振動を発生させるようにしてもよい。ここで、圧電素子の電圧値が所定の閾値を満たした際とは、電圧値が所定の基準値に達した際であってもよいし、電圧値が所定の基準値を超えた際でもよいし、所定の基準値と等しい電圧値が検出された際でもよい。
【００５２】
上述したように、第３の実施形態に係る電子機器３は、触感呈示部３０を更に備え、制御部１４から供給される駆動信号に基づいて所定の振動を発生する。そのため、電子機器３は、ユーザが背面タッチセンサ１３（および表面タッチセンサ１２）を操作した際に、意図した操作が行われたことを感覚的にユーザに通知することができる。
【００５３】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００５４】
１，２，３  電子機器
１１        表示部
１２        表面タッチセンサ
１３        背面タッチセンサ
１４        制御部
１５        記憶部
１６        通信部
１７        マイク
１８        スピーカ
２０        押圧検出部
２１        第１圧電素子
２２        第２圧電素子
２３        第３圧電素子
２４        第４圧電素子
３０        触感呈示部
４０        接合部材
【図１】
2015106171.tif 000003
【図２】
2015106171.tif 000004
【図３】
2015106171.tif 000005
【図４】
2015106171.tif 000006
【図５】
2015106171.tif 000007
【図６】
2015106171.tif 000008
【図７】
2015106171.tif 000009
【図８】
2015106171.tif 000010
【図９】
2015106171.tif 000011
【図１０】
2015106171.tif 000012
【図１１】
2015106171.tif 000013